(57)【要約】【課題】複数のプレイリストを見易く表示するためのプレイリスト表示制御装置を提供すること。【解決手段】本発明の一実施形態に係るプレイリスト表示制御装置は、１以上の画像ファイルの再生順序を制御する制御情報を含む複数のプレイリストを読み取る読取手段と、各プレイリストの前記制御情報により再生順序が制御された１以上の画像ファイルの日時情報に基づき、前記複数のプレイリストを整列する整列手段と、前記整列された前記複数のプレイリストを一覧表示するための一覧表示情報を生成する生成手段とを備える。【選択図】図４
2011134423.tif 000002
【特許請求の範囲】
【請求項１】
１以上の画像ファイルの再生順序を制御する制御情報を含む複数のプレイリストを読み取る読取手段と、
各プレイリストの前記制御情報により再生順序が制御された１以上の画像ファイルの日時情報に基づき、前記複数のプレイリストを整列する整列手段と、
前記整列された前記複数のプレイリストを一覧表示するための一覧表示情報を生成する生成手段と、
を備えたプレイリスト表示制御装置。
【請求項２】
前記並び替え手段は、各プレイリストの前記制御情報により再生順序が制御される１以上の画像ファイルのグループに含まれた最初に再生される先頭画像ファイルの日時情報に基づき、前記複数のプレイリストを整列することを特徴とする請求項１に記載のプレイリスト表示制御装置。
【請求項３】
前記並び替え手段は、各プレイリストの前記制御情報により再生順序が制御される１以上の画像ファイルのグループに含まれた画像ファイルの日時情報うちの最も古い日時情報に基づき、前記複数のプレイリストを整列することを特徴とする請求項１に記載のプレイリスト表示制御装置。
【請求項４】
前記並び替え手段は、条件に応じて、各プレイリストの前記制御情報により再生順序が制御される１以上の画像ファイルの日時情報に基づき前記複数のプレイリストを整列する第１の整列処理、及び各プレイリストを作成又は編集したプレイリスト日時情報に基づき前記複数のプレイリストを整列する第２の整列処理のうちの一方の整列処理を選択し、選択した整列処理に基づき前記複数のプレイリストを整列することを特徴とする請求項１に記載のプレイリスト表示制御装置。
【請求項５】
前記並び替え手段は、各プレイリストの前記制御情報により制御される再生順序が画像ファイルの日時情報の昇順又は降順である場合には、前記第２の整列処理を選択することを特徴とする請求項４に記載のプレイリスト表示制御装置。
【請求項６】
前記並び替え手段は、各プレイリストの前記制御情報により制御される再生順序が画像ファイルの日時情報の昇順又は降順でない場合には、前記第１の整列処理を選択することを特徴とする請求項４に記載のプレイリスト表示制御装置。
【請求項７】
前記整列された前記複数のプレイリストの中から指定されたプレイリストに基づき、１以上の画像ファイルを再生する再生制御手段を備えたことを特徴とする請求項１に記載のプレイリスト表示制御装置。
【請求項８】
１以上の画像ファイルの再生順序を制御する制御情報を含む複数のプレイリストを読み取り、
各プレイリストの前記制御情報により再生順序が制御された１以上の画像ファイルの日時情報に基づき、前記複数のプレイリストを整列し、
前記整列された前記複数のプレイリストを一覧表示するための一覧表示情報を生成するプレイリスト表示制御方法。
【発明の詳細な説明】
【技術分野】
【０００１】
本発明は、１以上の画像ファイルの再生順序を制御する複数のプレイリストの表示を制御するプレイリスト表示制御装置及びプレイリスト表示制御方法に関する。
【背景技術】
【０００２】
近年、デジタルコンテンツの記憶メディアの記憶容量は、ますますの増大傾向にある。ユーザは、記憶メディアに記憶された多数のコンテンツの中から好みのコンテンツを選択し視聴することができる。ところが、ユーザが、記憶メディアに記憶された多数のデジタルコンテンツのうちの好みの複数のデジタルコンテンツを繰り返して視聴するためには、ユーザは、記憶メディアに記憶された多数のデジタルコンテンツのうちの好みのデジタルコンテンツを一つずつ選択する操作を繰り返す必要があり、このような操作はユーザにとって面倒な操作となる。このような面倒な操作からユーザを解放するために、プレイリストを作成しプレイリストに基づきコンテンツを再生するプレイヤーが登場している。プレイヤーは、プレイリストに登録された好みの複数のコンテンツを登録された順序で再生することができる。
【０００３】
例えば、プレイリストに従って音声データを再生する技術が開示されており、さらに、複数のプレイリストを記録し、最初のプレイリストから順番に連続して各プレイリストに従って音声データを再生する技術も開示されている（特許文献１参照）。
【先行技術文献】
【特許文献】
【０００４】
【特許文献１】特開２００１−２０２０８５号公報（段落番号０００２、０００９など）
【発明の概要】
【発明が解決しようとする課題】
【０００５】
上記特許文献１は、複数のプレイリストに従って音楽データを再生する技術が開示されているものの、これら複数のプレイリストをどのように表示するかについては詳しく記述されていない。
【０００６】
複数のプレイリストが作成された場合、これら複数のプレイリストをユーザに見易く一覧表示させたいという要望がある。
【０００７】
例えば、プレイリストの作成日時順に、複数のプレイリストを一覧表示することが考えられる。しかしながら、プレイリストの作成日時と、プレイリストに登録されたコンテンツの記録日時との間に大きな時間差がある場合、このような一覧表示がユーザにとって必ずしも見易い一覧表示とは限らない。
【０００８】
本発明の目的は、複数のプレイリストを見易く表示するためのプレイリスト表示制御装置及びプレイリスト表示制御方法を提供することにある。
【課題を解決するための手段】
【０００９】
本発明の一実施形態に係るプレイリスト表示制御装置は、１以上の画像ファイルの再生順序を制御する制御情報を含む複数のプレイリストを読み取る読取手段と、各プレイリストの前記制御情報により再生順序が制御された１以上の画像ファイルの日時情報に基づき、前記複数のプレイリストを整列する整列手段と、前記整列された前記複数のプレイリストを一覧表示するための一覧表示情報を生成する生成手段とを備える。
【００１０】
本発明の一実施形態に係るプレイリスト表示制御方法は、１以上の画像ファイルの再生順序を制御する制御情報を含む複数のプレイリストを読み取り、各プレイリストの前記制御情報により再生順序が制御された１以上の画像ファイルの日時情報に基づき、前記複数のプレイリストを整列し、前記整列された前記複数のプレイリストを一覧表示するための一覧表示情報を生成する。
【発明の効果】
【００１１】
本発明によれば、複数のプレイリストを見易く表示するためのプレイリスト表示制御装置及びプレイリスト表示制御方法を提供できる。
【図面の簡単な説明】
【００１２】
【図１】本発明の一実施形態に係るデジタルテレビジョン放送受信システムの概略構成を示す図である。
【図２】メモリカードのファイル／フォルダ構造の一例を示す図である。
【図３Ａ】プレイリストとコンテンツの関係の第１例を示す図である。
【図３Ｂ】プレイリストとコンテンツの関係の第２例を示す図である。
【図４】プレイリスト一覧表示の一例を示す図である。
【図５】プレイリスト一覧表示中のプレイリスト選択後のプレイリスト内容表示の一例を示す図である。
【図６】プレイリスト一覧表示及びプレイリスト再生の一例を示すフローチャートである。
【発明を実施するための形態】
【００１３】
以下、図面を参照し、本発明の実施形態について説明する。
【００１４】
図１は、本発明の一実施形態に係るデジタルテレビジョン放送受信システムの概略構成を示す図である。
【００１５】
図１は、上記したデジタルテレビジョン放送受信システム１０（プレイリスト表示制御装置）を構成するデジタルテレビジョン放送受信装置１１及びデジタルテレビジョン放送出力装置１２の主要な信号処理系を示す図である。
【００１６】
すなわち、地上波放送受信用のアンテナ５２で受信した地上デジタルテレビジョン放送信号は、入力端子５３を介して地上デジタル放送用／地上アナログ放送用のチューナ５４に供給され、チューナ５４の地上デジタル放送用信号処理部で、所望のチャンネルのデジタル放送信号が選局される。そして、このチューナ５４で選局されたデジタル放送信号は、ＯＦＤＭ（orthogonal frequency division multiplexing）復調モジュール５５に供給されて、デジタルの映像信号及び音声信号に復調された後、上記信号処理モジュール５１に出力される。
【００１７】
また、上記地上波放送受信用のアンテナ５２で受信した地上アナログテレビジョン放送信号は、入力端子５３を介してチューナ５４に供給され、チューナ５４の地上アナログ放送用信号処理部で、所望のチャンネルのアナログ放送信号が選局される。そして、このチューナ５４で選局されたアナログ放送信号は、アナログ復調モジュール５７に供給されてアナログの映像信号及び音声信号に復調された後、上記信号処理モジュール５１に出力される。
【００１８】
また、ＢＳ／ＣＳデジタル放送受信用のアンテナ４７で受信した衛星デジタルテレビジョン放送信号は、入力端子４８を介して衛星デジタル放送用のチューナ４９に供給されることにより、所望のチャンネルの放送信号が選局される。
【００１９】
そして、このチューナ４９で選局された放送信号は、ＰＳＫ（phase shift keying）復調モジュール５０に供給されて、デジタルの映像信号及び音声信号に復調された後、信号処理モジュール５１に出力される。
【００２０】
ここで、上記信号処理モジュール５１は、ＰＳＫ復調モジュール５０及びＯＦＤＭ復調モジュール５５からそれぞれ供給されたデジタルの映像信号及び音声信号に対して、選択的に所定のデジタル信号処理を施し、グラフィック処理モジュール５８及び音声処理モジュール５９に出力している。
【００２１】
また、上記信号処理モジュール５１には、複数（図示の場合は４つ）の入力端子６０ａ，６０ｂ，６０ｃ，６０ｄが接続されている。これら入力端子６０ａ〜６０ｄは、それぞれ、アナログの映像信号及び音声信号を、デジタルテレビジョン放送受信装置１１の外部から入力可能とするものである。
【００２２】
そして、この信号処理モジュール５１は、上記アナログ復調モジュール５７及び各入力端子６０ａ〜６０ｄからそれぞれ供給されたアナログの映像信号及び音声信号を選択的にデジタル化し、そのデジタル化された映像信号及び音声信号に対して所定のデジタル信号処理を施した後、グラフィック処理モジュール５８及び音声処理モジュール５９に出力している。
【００２３】
このうち、グラフィック処理モジュール５８は、信号処理モジュール５１から供給されるデジタルの映像信号に、ＯＳＤ（on screen display）信号生成モジュール６１で生成されるＯＳＤ信号を重畳して出力する機能を有する。このグラフィック処理モジュール５８は、信号処理モジュール５１の出力映像信号と、ＯＳＤ信号生成モジュール６１の出力ＯＳＤ信号とを選択的に出力すること、また、両出力をそれぞれ画面の半分を構成するように組み合わせて出力することができる。
【００２４】
そして、グラフィック処理モジュール５８から出力されたデジタルの映像信号は、映像処理モジュール６２に供給される。映像処理モジュール６２により処理された映像信号は、映像表示器１４に供給され、また出力端子６３にも供給される。映像表示器１４は、映像信号に基づく映像を表示し、出力端子６３に対して外部機器が接続されると、出力端子６３に供給された映像信号は、外部機器へ入力される。
【００２５】
また、上記音声処理モジュール５９は、入力されたデジタルの音声信号を、前記スピーカ１５で再生可能なフォーマットのアナログ音声信号に変換した後、スピーカ１５に出力して音声再生させるとともに、出力端子６４を介して外部に導出させる。
【００２６】
ここで、このデジタルテレビジョン放送受信装置１１は、上記した各種の受信動作を含むその全ての動作を制御モジュール（コントローラ）６５によって統括的に制御されている。この制御モジュール６５は、ＣＰＵ（central processing unit）等を内蔵しており、前記操作モジュール１６からの操作情報、または、前記リモートコントローラ１７から送出され受光モジュール１８を介して受信した操作情報を受けて、その操作内容が反映されるように各モジュールをそれぞれ制御している。
【００２７】
この場合、制御モジュール６５は、主として、そのＣＰＵが実行する制御プログラムを格納したＲＯＭ（read only memory）６６と、該ＣＰＵに作業エリアを提供するＲＡＭ（random access memory）６７と、各種の設定情報及び制御情報等が格納される不揮発性メモリ６８とを利用している。
【００２８】
また、この制御モジュール６５は、カードＩ／Ｆ（interface）６９を介して、第１のメモリカード１９が装着可能なカードホルダ７０に接続されている。これによって、制御モジュール６５は、カードホルダ７０に装着された第１のメモリカード１９と、カードＩ／Ｆ６９を介して情報伝送を行なうことができる。第１のメモリカード１９は、例えばＳＤメモリカード（登録商標）である。
【００２９】
また、この制御モジュール６５は、カードＩ／Ｆ（interface）７１を介して、第２のメモリカード２０が装着可能なカードホルダ７２に接続されている。これによって、制御モジュール６５は、カードホルダ７２に装着された第２のメモリカード２０と、カードＩ／Ｆ７１を介して情報伝送を行なうことができる。
【００３０】
また、上記制御モジュール６５は、通信Ｉ／Ｆ７３を介してＬＡＮ端子２１と接続されている。これにより、制御モジュール６５は、ＬＡＮ端子２１に接続されたＬＡＮ対応機器（例えばＬＡＮ対応のＨＤＤ）と、通信Ｉ／Ｆ７３を介して情報伝送を行なうことができる。この場合、制御モジュール６５は、ＤＨＣＰ（dynamic host configuration protocol）サーバ機能を有し、ＬＡＮ端子２１に接続されたＬＡＮ対応機器にＩＰ（internet protocol）アドレスを割り当てて制御している。
【００３１】
さらに、上記制御モジュール６５は、第１のＨＤＭＩ Ｉ／Ｆ７４を介して第１のＨＤＭＩ端子２２と接続されている。これにより、制御モジュール６５は、第１のＨＤＭＩ端子２２に接続されたＨＤＭＩ対応機器と、第１のＨＤＭＩ Ｉ／Ｆ７４を介して情報伝送を行なうことができる。また、上記制御モジュール６５は、第２のＨＤＭＩ Ｉ／Ｆ７５を介して第２のＨＤＭＩ端子２３と接続されている。これにより、制御モジュール６５は、第２のＨＤＭＩ端子２３に接続されたＨＤＭＩ対応機器と、第２のＨＤＭＩ Ｉ／Ｆ７５を介して情報伝送を行なうことができる。
【００３２】
そして、上記制御モジュール６５は、ＵＳＢ Ｉ／Ｆ７６を介して前記ＵＳＢ端子２４と接続されている。これにより、制御モジュール６５は、ＵＳＢ端子２４に接続されたＵＳＢ対応機器（例えばＵＳＢ対応のＨＤＤ）と、ＵＳＢ Ｉ／Ｆ７６を介して情報伝送を行なうことができる。
【００３３】
さらに、上記制御モジュール６５は、ｉ．ＬＩＮＫ Ｉ／Ｆ７７を介してｉ．ＬＩＮＫ端子２５と接続されている。これにより、制御モジュール６５は、ｉ．ＬＩＮＫ端子２５に接続されたｉ．ＬＩＮＫ対応機器と、ｉ．ＬＩＮＫ Ｉ／Ｆ７７を介して情報伝送を行なうことができる。
【００３４】
次に、上記したデジタルテレビジョン放送受信システム１０によるプレイリスト一覧表示及びプレイリスト再生について説明する。
【００３５】
近年、ハイビジョン対応のビデオカメラが登場しており、この種のビデオカメラは撮影データをＡＶＣＨＤ規格のデータでＳＤメモリカード等へ記録することができる。例えば連続撮影データは、１コンテンツとしてＳＤメモリカードへ記録される。このようにして、ＳＤメモリカードには、ビデオカメラで撮影された複数のコンテンツ（複数の画像ファイル）が蓄積される。また、ビデオカメラは、ＳＤメモリカードに蓄積された複数のコンテンツの再生順序を登録したプレイリストを作成し、作成したプレイリストもまたＳＤメモリカードに記録することができる。以下、ＳＤメモリカードを第１のメモリカード１９（図１参照）として説明する。
【００３６】
図２は、第１のメモリカード１９のファイル／フォルダ構造の一例を示す図である。図２に示すＰＬＡＹＬＩＳＴのフォルダには複数のプレイリストファイルが格納され、ＳＴＲＥＡＭのフォルダには複数のコンテンツ本体（画像データ等）のファイルが格納される。プレイリストファイルは、１以上のコンテンツの再生順序を制御する制御情報を含む。
【００３７】
例えば、第１のメモリカード１９が、コンテンツＣ１−Ｃ９及びプレイリストＰ１−Ｐ３を記憶しているとし、コンテンツＣ１−Ｃ９の録画開始日時及び録画終了日時が以下の通り、また、プレイリストＰ１−Ｐ３の作成日時情報、修正日時情報（再編集日時情報）、及び再生制御情報が以下の通りであるとする（図３Ａ参照）。
【００３８】
コンテンツＣ１：録画開始日時2009/12/10/18:00、録画終了日時2009/12/10/18:15
コンテンツＣ２：録画開始日時2009/12/9/18:20、録画終了日時2009/12/9/18:30
コンテンツＣ３：録画開始日時2009/12/8/19:15、録画終了日時2009/12/8/20:05
コンテンツＣ４：録画開始日時2009/12/7/19:20、録画終了日時2009/12/7/19:30
コンテンツＣ５：録画開始日時2009/12/6/19:40、録画終了日時2009/12/6/19:50
コンテンツＣ６：録画開始日時2009/12/5/19:30、録画終了日時2009/12/5/19:55
コンテンツＣ７：録画開始日時2009/12/4/20:00、録画終了日時2009/12/4/20:10
コンテンツＣ８：録画開始日時2009/12/3/20:15、録画終了日時2009/12/3/20:35
コンテンツＣ９：録画開始日時2009/12/2/20:25、録画終了日時2009/12/2/20:30
プレイリストＰ１：作成日時2009/12/11/15:00、修正なし、コンテンツＣ４→Ｃ１→Ｃ２→Ｃ３→Ｃ６→Ｃ７の順序で連続再生する再生制御情報を含む
プレイリストＰ２：作成日時2009/12/12/15:00、修正日時2009/12/12/17:00、コンテンツＣ２→Ｃ８→Ｃ３→Ｃ６の順序で連続再生する再生制御情報を含む
プレイリストＰ３：作成日時2009/12/12/16:00、修正日時2009/12/12/16:30、コンテンツＣ５→Ｃ９の順序で連続再生する再生制御情報を含む
或いは、第１のメモリカード１９が、コンテンツＣ１−Ｃ９及びプレイリストＰ１−Ｐ３を記憶しているとし、コンテンツＣ１−Ｃ９の録画開始日時及び録画終了日時が以下の通り、また、プレイリストＰ１−Ｐ３の作成日時情報、修正日時情報（再編集日時情報）、及び再生制御情報が以下の通りであるとする（図３Ｂ参照）。
【００３９】
コンテンツＣ１：録画開始日時2009/12/10/18:00、録画終了日時2009/12/10/18:15
コンテンツＣ２：録画開始日時2009/12/9/18:20、録画終了日時2009/12/9/18:30
コンテンツＣ３：録画開始日時2009/12/8/19:15、録画終了日時2009/12/8/20:05
コンテンツＣ４：録画開始日時2009/12/7/19:20、録画終了日時2009/12/7/19:30
コンテンツＣ５：録画開始日時2009/12/6/19:40、録画終了日時2009/12/6/19:50
コンテンツＣ６：録画開始日時2009/12/5/19:30、録画終了日時2009/12/5/19:55
コンテンツＣ７：録画開始日時2009/12/4/20:00、録画終了日時2009/12/4/20:10
コンテンツＣ８：録画開始日時2009/12/3/20:15、録画終了日時2009/12/3/20:35
コンテンツＣ９：録画開始日時2009/12/2/20:25、録画終了日時2009/12/2/20:30
プレイリストＰ１：作成日時2009/12/11/15:00、修正なし、コンテンツＣ１→Ｃ２→Ｃ３→Ｃ４→Ｃ６→Ｃ７の順序で連続再生する再生制御情報を含む
プレイリストＰ２：作成日時2009/12/12/15:00、修正日時2009/12/12/17:00、コンテンツＣ２→Ｃ３→Ｃ６→Ｃ８の順序で連続再生する再生制御情報を含む
プレイリストＰ３：作成日時2009/12/12/16:00、修正日時2009/12/12/16:30、コンテンツＣ５→Ｃ９の順序で連続再生する再生制御情報を含む
なお、プレイリストＰ１−Ｐ３は、ビデオカメラで作成することもできるし、本実施形態のデジタルテレビジョン放送受信装置１１で作成することもできるものとする。
【００４０】
上記第１のメモリカード１９が、デジタルテレビジョン放送受信装置１１に装填されると、つまり、第１のメモリカード１９が、カードホルダ７０に装着されると、デジタルテレビジョン放送受信装置１１は、第１のメモリカード１９に記憶された複数のプレイリストを見易く整列して一覧表示することができる（図４参照）。
【００４１】
例えば、デジタルテレビジョン放送受信装置１１は、第１のメモリカード１９に記憶された複数のプレイリストを読み取り、各プレイリストの再生制御情報により再生順序が制御された１以上のコンテンツの日時情報（例えば録画開始日時）に基づき、これら複数のプレイリストを整列し、整列された複数のプレイリストを一覧表示するための一覧表示情報を生成する。デジタルテレビジョン放送受信装置１１が、一覧表示情報を映像表示器１４に出力すると、映像表示器１４は一覧表示情報に基づきプレイリストを一覧表示する。
【００４２】
例えば、デジタルテレビジョン放送受信装置１１の制御モジュール６５は、各プレイリストの最初に再生されるコンテンツの日時情報（例えば録画開始日時）に基づき、複数のプレイリストを整列する（整列処理Ａ）。
【００４３】
図３Ａのケースでは、制御モジュール６５は、プレイリストＰ１により最初に再生されるコンテンツＣ４の日時情報（例えば録画開始日時）、プレイリストＰ２により最初に再生されるコンテンツＣ２の日時情報（例えば録画開始日時）、プレイリストＰ３により最初に再生されるコンテンツＣ５の日時情報（例えば録画開始日時）を比較し、最も新しいコンテンツＣ２を最初に再生するプレイリストＰ２、次に新しいコンテンツＣ４を最初に再生するプレイリストＰ１、最も古いコンテンツＣ５を最初に再生するプレイリストＰ３の順序で（或いは逆の順序で）これらプレイリストＰ１−Ｐ３を整列する。さらに、制御モジュール６５は、プレイリストＰ２、Ｐ１、Ｐ３の順序で（或いは逆の順序で）、これらプレイリストＰ２、Ｐ１、Ｐ３を一覧表示するための一覧表示情報を生成し映像表示器１４に出力する。これにより、図４に示すように、映像表示器１４は、プレイリストＰ２、Ｐ１、Ｐ３の順序で（或いは逆の順序で）、これらプレイリストＰ２、Ｐ１、Ｐ３を一覧表示する。
【００４４】
さらに、操作モジュール１６又リモートコントローラ１７により、図４の一覧表示からプレイリストＰ１が選択されると、図５に示すように、映像表示器１４は、表示を切り換える。つまり、映像表示器１４は、プレイリストＰ１によりコンテンツＣ４→Ｃ１→Ｃ２→Ｃ３→Ｃ６→Ｃ７の順序で連続再生する旨を表示する。さらに、操作モジュール１６又リモートコントローラ１７により、図５のプレイリストＰ１の表示からコンテンツＣ４が選択されると、制御モジュール６５は、コンテンツＣ４→Ｃ１→Ｃ２→Ｃ３→Ｃ６→Ｃ７の順序でコンテンツを連続再生する。或いは、操作モジュール１６又リモートコントローラ１７により、図５のプレイリストＰ１の表示からコンテンツＣ１が選択されると、制御モジュール６５は、コンテンツＣ１→Ｃ２→Ｃ３→Ｃ６→Ｃ７（→Ｃ４）の順序でコンテンツを連続再生する。
【００４５】
なお、操作モジュール１６又リモートコントローラ１７により、図４の一覧表示からプレイリストＰ１が選択されると、直ぐに、制御モジュール６５が、コンテンツＣ４→Ｃ１→Ｃ２→Ｃ３→Ｃ６→Ｃ７の順序でコンテンツを連続再生することもできる。
【００４６】
また、制御モジュール６５は、プレイリストＰ１に基づく連続再生終了後に、プレイリストＰ３に基づく連続再生を開始することもできる。例えば、最初に一覧表示からプレイリストＰ２が選択されると、制御モジュール６５は、プレイリストＰ２→Ｐ１→Ｐ３の順序で、コンテンツを連続再生することもできる。
【００４７】
図３Ｂのケースでは、制御モジュール６５は、最も新しいコンテンツＣ１を最初に再生するプレイリストＰ１、次に新しいコンテンツＣ２を最初に再生するプレイリストＰ２、最も古いコンテンツＣ５を最初に再生するプレイリストＰ３の順序で（或いは逆の順序で）これらプレイリストＰ１−Ｐ３を整列する。さらに、制御モジュール６５は、プレイリストＰ１、Ｐ２、Ｐ３の順序で（或いは逆の順序で）、これらプレイリストＰ１、Ｐ２、Ｐ３を一覧表示するための一覧表示情報を生成し映像表示器１４に出力する。これにより、映像表示器１４は、プレイリストＰ１、Ｐ２、Ｐ３の順序で（或いは逆の順序で）、これらプレイリストＰ１、Ｐ２、Ｐ３を一覧表示する。
【００４８】
或いは、デジタルテレビジョン放送受信装置１１の制御モジュール６５は、各プレイリストで再生順序が制御されるコンテンツのグループに含まれた各コンテンツの日時情報（例えば録画開始日時）のうち最も古い日時情報に基づき、複数のプレイリストを整列する（整列処理Ｂ）。
【００４９】
図３Ａ及び図３Ｂのケースでは、制御モジュール６５は、プレイリストＰ１により再生順序が制御されるコンテンツＣ１、Ｃ４、Ｃ６、Ｃ７のグループのうちの最も古いコンテンツＣ７の日時情報と、プレイリストＰ２により再生順序が制御されるコンテンツＣ２、Ｃ３、Ｃ６、Ｃ８のグループのうちの最も古いコンテンツＣ８の日時情報と、プレイリストＰ３により再生順序が制御されるコンテンツＣ５、Ｃ９のグループのうちの最も古いコンテンツＣ９の日時情報とを比較し、これらコンテンツＣ７、Ｃ８、Ｃ９のうちの最も古いコンテンツＣ９を再生するプレイリストＰ３、次に古いコンテンツＣ８を再生するプレイリストＰ２、最も新しいコンテンツＣ７を再生するプレイリストＰ１の順序で（或いは逆の順序で）これらプレイリストＰ１−Ｐ３を整列する。さらに、制御モジュール６５は、プレイリストＰ３、Ｐ２、Ｐ１の順序で（或いは逆の順序で）、これらプレイリストＰ３、Ｐ２、Ｐ１を一覧表示するための一覧表示情報を生成し映像表示器１４に出力する。これにより、映像表示器１４は、プレイリストＰ３、Ｐ２、Ｐ１の順序で（或いは逆の順序で）、これらプレイリストＰ３、Ｐ２、Ｐ１を一覧表示する。
【００５０】
さらに、操作モジュール１６又リモートコントローラ１７により、一覧表示からプレイリストＰ３が選択されると、映像表示器１４は、プレイリストＰ３によりコンテンツＣ５→Ｃ９の順序で連続再生する旨を表示する。さらに、操作モジュール１６又リモートコントローラ１７により、コンテンツＣ５が選択されると、制御モジュール６５は、コンテンツＣ５→Ｃ９の順序でコンテンツを連続再生する。
【００５１】
なお、操作モジュール１６又リモートコントローラ１７により、一覧表示からプレイリストＰ３が選択されると、直ぐに、制御モジュール６５が、コンテンツＣ５→Ｃ９の順序でコンテンツを連続再生することもできる。また、一覧表示からプレイリストＰ３が選択されると、制御モジュール６５は、プレイリストＰ３→Ｐ２→Ｐ１の順序で、コンテンツを連続再生することもできる。
【００５２】
或いは、デジタルテレビジョン放送受信装置１１の制御モジュール６５は、各プレイリストの作成日時情報に基づき、複数のプレイリストを整列する（整列処理Ｃ）。
【００５３】
図３Ａ及び図３Ｂのケースでは、制御モジュール６５は、プレイリストＰ１の作成日時情報と、プレイリストＰ２の作成日時情報と、プレイリストＰ３の作成日時情報とを比較し、最も新しい作成日時情報のプレイリストＰ３、次に新しい作成日時情報のプレイリストＰ２、最も古い作成日時情報のプレイリストＰ１の順序で（或いは逆の順序で）これらプレイリストＰ３、Ｐ２、Ｐ１を整列する。さらに、制御モジュール６５は、プレイリストＰ３、Ｐ２、Ｐ１の順序で（或いは逆の順序で）これらプレイリストＰ３、Ｐ２、Ｐ１を一覧表示するための一覧表示情報を生成し映像表示器１４に出力する。これにより、映像表示器１４は、プレイリストＰ３、Ｐ２、Ｐ１の順序で（或いは逆の順序で）、これらプレイリストＰ３、Ｐ２、Ｐ１を一覧表示する。
【００５４】
さらに、操作モジュール１６又リモートコントローラ１７により、一覧表示からプレイリストＰ３が選択されると、映像表示器１４は、プレイリストＰ３によりコンテンツＣ５→Ｃ９の順序で連続再生する旨を表示する。さらに、操作モジュール１６又リモートコントローラ１７により、コンテンツＣ５が選択されると、制御モジュール６５は、コンテンツＣ５→Ｃ９の順序でコンテンツを連続再生する。
【００５５】
なお、操作モジュール１６又リモートコントローラ１７により、一覧表示からプレイリストＰ３が選択されると、直ぐに、制御モジュール６５が、コンテンツＣ５→Ｃ９の順序でコンテンツを連続再生することもできる。また、一覧表示からプレイリストＰ３が選択されると、制御モジュール６５は、プレイリストＰ３→Ｐ２→Ｐ１の順序で、コンテンツを連続再生することもできる。
【００５６】
或いは、デジタルテレビジョン放送受信装置１１の制御モジュール６５は、各プレイリストの作成日時情報と修正日時情報に基づき、複数のプレイリストを整列する（整列処理Ｄ）。例えば、制御モジュール６５は、プレイリストＰ１の作成日時情報と（修正なしのため修正日時情報は対象外）、プレイリストＰ２の作成日時情報及び修正日時と、プレイリストＰ３の作成日時情報及び修正日時とを比較し、最も新しい日時情報（修正日時情報）のプレイリストＰ２、次に新しい日時情報（修正日時情報）のプレイリストＰ３、最も古い日時情報（作成日時情報）のプレイリストＰ１の順序で（或いは逆の順序で）これらプレイリストＰ２、Ｐ３、Ｐ１を整列する。さらに、制御モジュール６５は、プレイリストＰ２、Ｐ３、Ｐ１の順序で（或いは逆の順序で）これらプレイリストＰ２、Ｐ３、Ｐ１を一覧表示するための一覧表示情報を生成し映像表示器１４に出力する。これにより、映像表示器１４は、プレイリストＰ２、Ｐ３、Ｐ１の順序で（或いは逆の順序で）、これらプレイリストＰ２、Ｐ３、Ｐ１を一覧表示する。
【００５７】
さらに、操作モジュール１６又リモートコントローラ１７により、一覧表示からプレイリストＰ２が選択されると、映像表示器１４は、プレイリストＰ２によりコンテンツＣ２→Ｃ８→Ｃ３→Ｃ６の順序で連続再生する旨を表示する。さらに、操作モジュール１６又リモートコントローラ１７により、コンテンツＣ２が選択されると、制御モジュール６５は、コンテンツＣ２→Ｃ８→Ｃ３→Ｃ６の順序でコンテンツを連続再生する。
【００５８】
なお、操作モジュール１６又リモートコントローラ１７により、一覧表示からプレイリストＰ２が選択されると、直ぐに、制御モジュール６５が、コンテンツＣ２→Ｃ８→Ｃ３→Ｃ６の順序でコンテンツを連続再生することもできる。また、一覧表示からプレイリストＰ２が選択されると、制御モジュール６５は、プレイリストＰ２→Ｐ３→Ｐ１の順序で、コンテンツを連続再生することもできる。
【００５９】
或いは、デジタルテレビジョン放送受信装置１１の制御モジュール６５は、条件に応じて、第１の整列処理（＝整列処理Ａ又はＢ）及び第２の整列処理（整列処理Ｃ又はＤ）のうちの一方の整列処理を選択し、選択した整列処理に基づき複数のプレイリストを整列する。
【００６０】
例えば、制御モジュール６５は、各プレイリストによる再生順序がコンテンツの日時順（昇順又は降順）であるか否かを判断し、図３Ｂに示すように日時順であれば、第２の整列処理（整列処理Ｃ又はＤ）を選択し、選択した第２の整列処理に基づき複数のプレイリストを整列する。各プレイリストによる再生順序がコンテンツの日時順であることから、簡易編集等が想定される。つまり１コンテンツ中の所定のシーンの分割、又は１コンテンツ中の不要なシーンの削除等が想定される。このような簡易編集等が想定されるケースでは、第２の整列処理を優先し、複数のプレイリストを見易く一覧表示する。これにより、実際に撮影した日時（コンテンツの日時）から相当な時間が経過した後にプレイリストが作成されても、各プレイリストによる再生順序がコンテンツの日時順であれば、プレイリストの作成日時順にプレイリストが並び替えられることはない。
【００６１】
また、制御モジュール６５は、図３Ａに示すように日時順でなければ、第１の整列処理（整列処理Ａ又はＢ）を選択し、選択した第１の整列処理に基づき複数のプレイリストを整列する。各プレイリストによる再生順序がコンテンツの日時順でないことから、大幅な編集等が想定される。例えば、プレイリストが、ベストショットの連続再生を制御していることが想定される。
【００６２】
図６は、プレイリスト一覧表示及びプレイリスト再生の一例を示すフローチャートである。図６に示すように、制御モジュール６５は、上記した条件に応じて、整列処理Ａ、Ｂ、Ｃ、Ｄのうちの一つの整列処理を選択し、選択した整列処理に応じて、プレイリスト整列（ソート）のための日時情報を決定し（ＳＴ１０２）、各プレイリストに基づいて日時情報を抽出し、抽出された日時情報を管理テーブルに登録する（ＳＴ１０３）。なお、管理テーブルは、不揮発性メモリ６８に登録される。
【００６３】
例えば、図３Ａのケースで整列処理Ａが選択されたケースでは、プレイリストＰ１に対応した管理テーブルＴ１にはコンテンツＣ４の日時情報が登録され、プレイリストＰ２に対応した管理テーブルＴ２にはコンテンツＣ２の日時情報が登録され、プレイリストＰ３に対応した管理テーブルＴ３にはコンテンツＣ５の日時情報が登録される。
【００６４】
全プレイリストからの日時情報の抽出が完了すると（ＳＴ１０１、ＮＯ）、制御モジュール６５は、管理テーブルに登録された日時情報に基づき管理テーブルを整列（ソート）する（ＳＴ１０４）。上記ケースでは、管理テーブルＴ２、Ｔ１、Ｔ３の順（或いは逆の順序）で管理テーブルが整列される。プレイリストＰ１に対応した管理テーブルＴ１が選択されると、制御モジュール６５は、プレイリストＰ１に基づきコンテンツＣ４→Ｃ１→Ｃ２→Ｃ３→Ｃ６→Ｃ７の順序で連続再生を開始する（ＳＴ１０５）。
【００６５】
なお、制御モジュール６５は、プレイリストに登録されていないコンテンツＣＸを１つの独立したプレイリストＰ４と見なして、整列処理Ａ又はＢに基づいて、プレイリストＰ１−Ｐ４を整列することもできる。例えば、コンテンツＣＸの録画開始日時及び録画終了日時が以下の通りであるとする。
【００６６】
コンテンツＣＸ：録画開始日時2009/12/5/18:00、録画終了日時2009/12/5/18:15
整列処理Ａに基づく整列の場合、プレイリストＰ２、Ｐ１、Ｐ３、Ｐ４の順（或いは逆の順序で）でこれらプレイリストＰ１−Ｐ４が整列される。整列処理Ｂに基づく整列の場合、プレイリストＰ４、Ｐ１、Ｐ２、Ｐ３の順（或いは逆の順序で）でこれらプレイリストＰ１−Ｐ４が整列される。
【００６７】
本実施形態によれば、撮影日時、プレイリスト作成日時、プレイリスト編集日時等を考慮したプレイリストの整列が可能となり、プレイリスト再生時のユーザビリティを向上することができる。
【００６８】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【符号の説明】
【００６９】
１４…映像表示器、１５…スピーカ、１６…操作モジュール、１７…リモートコントローラ、１８…受光モジュール、１９…第１のメモリカード、２０…第２のメモリカード、２１…ＬＡＮ端子、２２…第１のＨＤＭＩ端子、２３…第２のＨＤＭＩ端子、２４…ＵＳＢ端子、２５…ｉ．Link端子、４７…アンテナ、４８…入力端子、４９…チューナ、５０…ＰＳＫ復調モジュール、５１…信号処理モジュール、５２…アンテナ、５３…入力端子、５４…チューナ、５５…ＯＦＤＭ復調モジュール、５７…アナログ復調モジュール、５８…グラフィック処理モジュール、５９…音声処理モジュール、６０ａ〜６０ｄ…入力端子、６１…ＯＳＤ信号生成モジュール、６２…映像処理モジュール、６３…出力端子、６４…出力端子、６５…制御モジュール、６６…ＲＯＭ、６７…ＲＡＭ、６８…不揮発性メモリ、６９…カードＩ／Ｆ、７０…カードホルダ、７１…カードＩ／Ｆ、７２…カードホルダ、７３…通信Ｉ／Ｆ、７４…第１のＨＤＭＩＩ／Ｆ、７５…第２のＨＤＭＩ Ｉ／Ｆ、７６…ＵＳＢＩ／Ｆ、７７…ｉ．Link Ｉ／Ｆ。
【図１】
2011134423.tif 000003
【図２】
2011134423.tif 000004
【図３Ａ】
2011134423.tif 000005
【図３Ｂ】
2011134423.tif 000006
【図４】
2011134423.tif 000007
【図５】
2011134423.tif 000008
【図６】
2011134423.tif 000009